(57)【要約】【課題】本発明は、コネクタにおいての所定の距離が検出でき、ハウジングが絶縁性本体に固着されるＵＳＢコネクタを提供することを目的とする。【解決手段】本発明の電気コネクタは、絶縁性本体を有する固持部材と、前記絶縁性本体に固着される複数の導電端子と、を備える。前記絶縁性本体は、基面を含む本体部と、前記本体部から前向きに突出する舌板と、前記舌板と実質的に平行な支持板と、前記本体部の基面と前記支持板との間に形成される嵌合溝と、を有する。前記支持板には、支持板の上下面を貫通して前記嵌合溝と連通する開口が形成され、前記本体部の基面が前記開口によって露出される。【選択図】図２
2011003538.tif 000002
【特許請求の範囲】
【請求項１】
基面を含む本体部と、前記本体部から前向きに突出する舌板と、前記舌板と実質的に平行である支持板と、前記本体部の基面と前記支持板との間に形成される嵌合溝と、を有する絶縁性本体を有する固持部材と、
前記絶縁性本体に固着される複数の導電端子と、
を備え、前記支持板には、該支持板の上下面を貫通して前記嵌合溝と連通する開口が形成され、前記本体部の基面が前記開口によって露出されることを特徴とする電気コネクタ。
【請求項２】
前記電気コネクタは、前記絶縁性本体を遮蔽するハウジングを含み、前記ハウジングが、頂壁と底壁と一対の側壁とを含み、前記ハウジングの底壁には、前記嵌合溝に挿入される挿入部が設けられ、前記挿入部には、前記絶縁性本体の開口に対応するギャップが形成され、検出部材が順番に、前記絶縁性本体の開口と、前記ハウジングのギャップと、を通して、前記本体部の基面に到達することを特徴とする請求項１に記載の電気コネクタ。
【請求項３】
前記絶縁性本体が一対の前記開口を含み、前記ハウジングが一対の前記ギャップを含み、前記ハウジングの一対のギャップの間には係合溝が形成され、前記絶縁性本体の嵌合溝には、前記係合溝と係合するリブが設けられることを特徴とする請求項２に記載の電気コネクタ。
【請求項４】
前記ハウジングの底壁には、前向きに延在する一対の第１弾力片と、一対の前記第１弾力片の間に形成される切欠きが形成され、前記切欠きにおいて、後向きに延在する第２弾力片が設けられ、前記絶縁性本体の舌板の下面には、一対の前記第１弾力片を収納する一対の凹所が形成されることを特徴とする請求項２に記載の電気コネクタ。
【請求項５】
前記電気コネクタが光部材を有し、前記絶縁性本体の本体部は、前記光部材を収納する挿入溝と、前記挿入溝の下に形成される収納溝と、が形成され、前記舌板には、前記収納溝に貫通する保持溝が形成されることを特徴とする請求項１に記載の電気コネクタ。
【発明の詳細な説明】
【技術分野】
【０００１】
本発明は、電気コネクタに関し、特に、ＵＳＢ(Universal Serial Bus)規格に準拠した電気コネクタに関するものである。
【背景技術】
【０００２】
従来技術の回路基板に半田接続されるＵＳＢコネクタは、絶縁性本体と、絶縁性本体に固着される導電端子と、絶縁性本体を遮蔽するハウジングと、を備える。絶縁性本体は、本体部と、本体部から突出する舌板と、支持板と、を備える。絶縁性本体の本体部と支持板との間には挿入溝が形成される。ハウジングは、頂壁と、底壁と、二つの側壁と、を備える。前記底壁の後端には、前記収納溝に挿入される挿入壁が設けられる。
【先行技術文献】
【特許文献】
【０００３】
【特許文献１】台湾実用新案第Ｍ３０６７２３号明細書
【発明の概要】
【発明が解決しようとする課題】
【０００４】
前記支持板が前記本体部の下方に配置されており、前記本体部の下面を被覆している。そのため、前記本体部の下面と前記舌板の下面との間の距離が検出できない。
【０００５】
そこで本発明は、上述される従来技術の問題に鑑み、コネクタにおいての所定の距離が検出でき、ハウジングが絶縁性本体に固着されるＵＳＢコネクタを提供することを目的とする。
【課題を解決するための手段】
【０００６】
前記目的を達成するために、本発明の電気コネクタは、絶縁性本体を有する固持部材と、前記絶縁性本体に固着される複数の導電端子と、を備える。前記絶縁性本体は、基面を含む本体部と、前記本体部から前向きに突出する舌板と、前記舌板と実質的に平行する支持板と、前記本体部の基面と前記支持板との間に形成される嵌合溝と、を有する。前記支持板には、支持板の上下面を貫通して前記嵌合溝と連通する開口が形成され、前記本体部の基面が前記開口によって露出される。
【発明の効果】
【０００７】
従来技術と比べると、本発明は以下の長所を有する。本発明の検出部材（図示せず）は、前記絶縁性本体１の開口を通して、本体部の基面の高度を検出できる。前記舌板の高度も、検出部材によって検出できる。これにより、本体部の基面と舌板との間の距離が検出できる。検出された距離に基づき、ハウジングが絶縁性本体にしっかりと固着されることを確保できる。
【図面の簡単な説明】
【０００８】
【図１】本発明の電気コネクタの組立斜視図である。
【図２】図１に示す電気コネクタを別の角度から見た組立図である。
【図３】図１に示す電気コネクタの部分の分解斜視図である。
【図４】図３に示す電気コネクタの分解斜視図である。
【図５】図４に示す電気コネクタの別の角度から見た分解斜視図である。
【図６】図１に示す電気コネクタの組立図である。
【図７】図１に示す電気コネクタの絶縁性本体の斜視図である。
【図８】図１に示す電気コネクタの絶縁性本体の別の角度から見た斜視図である。
【発明を実施するための形態】
【０００９】
図１、図４及び図５を参照すると、本発明の電気コネクタ１００は、ＵＳＢ３．０Ａのソケットコネクタであり、ＵＳＢ３．０Ａのプラグが係合できる。電気コネクタ１００は、絶縁性本体１と、絶縁性本体１に装着されるベース２と、ベース２に挿入される複数の導電端子３と、絶縁性本体１に装入される光部材４と、絶縁性本体１を遮蔽するハウジング５と、を備える。
【００１０】
図３〜図５、図７及び図８に示すように、絶縁性本体１は、基面１１０を含む本体部１１と、本体部１１から前向きに突出する舌板１２と、前記舌板１２と平行な支持板１３と、を備える。前記本体部１１には、挿入溝１１５と、収納溝１１６と、前記挿入溝１１５と収納溝１１６との間に設けられる内壁１１１と、を備える。前記収納溝１１５の間には、前記内壁１１１と直交する間隔壁１１４が設けられる。前記支持板１３と本体部１１の基面１１０との間には、嵌合溝１４が形成される。前記嵌合溝１４には、前記支持板１３と、本体部１１の基面１１０と、を連接するリブ１５が設けられる。前記支持板１３には、下向きに突出する取付柱１３５が設けられる。前記支持板１３の後端には、前記支持板１３の上下面を貫通して前記嵌合溝１４と連通する一対の開口１３６が形成される。前記本体部１１の基面１１０が前記開口１３６によって露出される。前記舌板１２の上面には、前記収納溝１１６に貫通する保持溝１２１が形成される。前記保持溝１２１の前端には複数の凹溝１２２が形成される。舌板１２の下面には一対の凹所１２３が形成される。
【００１１】
ベース２は、基部２１と、基部２１から延在する舌部２２と、を備える。基部２１の後端には、上下に延在する複数の固持溝２１１が形成される。舌部２２の上下面には、前後に延在する複数の端子溝２２１が形成される。
【００１２】
導電端子３は、５つの第１端子３１と、４つの第２端子３２と、を有する。図４及び図５に示すように、各第１導電端子３１は、Ｌ字状の第１連接部３１２と、前記第１連接部３１２の前端に設けられる平板状の第１接触部３１１と、第１連接部３１２の後端から下向きに延在する第１半田接続部３１４と、を有する。第１連接部３１２には複数の第１クリック部３１３が設けられる。各第２導電端子３２は、Ｌ字状の第２連接部３２２と、前記第２連接部３２２の前端に設けられる弓状の第２接触部３２１と、前記第２連接部３２２の後端から下向きに延在する第２半田接続部３２４と、を有する。第２連接部３２２には複数の第２クリック部３２３が設けられる。
【００１３】
光部材４は、一対のレンズ４５と、一対の固定柱４６と、を備える。一対のレンズ４５の間にはスリット４１が形成される。
【００１４】
ハウジング５は金属材料によって製造される。ハウジング５は、頂壁５１と、底壁５３と、頂壁５１の側辺から下向きに折り曲げられる一対の側壁５２と、を有する。ハウジング５の底壁５３は、前向きに延在する一対の第１弾力片５３５を備える。一対の前記第１弾力片の間には、切欠き５３７が形成される。切欠き５３７においては、後向きに延在する第２弾力片５３８が配置される。底壁５３の後端には、前記絶縁性本体１の嵌合溝１４に挿入される挿入部５３４が設けられる。前記挿入部５３４の後端には、一対のギャップ５３９と、一対の前記ギャップ５３９の間に形成される係合溝５３６と、が設けられる。
【００１５】
電気コネクタ１００を取り付ける時、先ず、５つの第１端子３１は前記ベース２の舌部２２の下面の端子溝２２１に挿入される。４つの第２端子３２は、前記ベース２の舌部２２の上面の端子溝２２１と固持溝２１１とに挿入される。前記ベース２が絶縁性本体１の収納溝１１６に収納される。前記ベース２の舌部２２が絶縁性本体１の保持溝１２１に保持される。前記第１端子３１の第１接触部３１１が凹溝１２２に嵌められる。前記レンズ４が、絶縁性本体１の挿入溝１１５に装入される。間隔壁１１４が光部材４のスリット４１に係合する。ハウジング５が、絶縁性本体１を遮蔽する。ハウジング５の底壁５３の挿入部５３４が前記絶縁性本体１の嵌合溝１４に嵌められる。ハウジング５の一対の前記ギャップ５３９が絶縁性本体１の一対の前記開口１３６に対応し、前記係合溝５３６が、絶縁性本体１の前記リブ１５と係合する。ハウジング５の一対の第１弾力片５３５は、前記絶縁性本体１の凹所１２３に位置する。
【００１６】
検出部材（図示せず）は、順番に、前記絶縁性本体１の開口１３６と、前記ハウジング５のギャップ５３９と、を通して、本体部１１の基面１１０の高度を検出できる。検出部材は、前記ハウジング５の切欠き５３７を通して、前記舌板１２の高度も検出できる。これにより、本体部１１の基面１１０と舌板１２との間の距離が検出できる。検出された距離に基づき、ハウジング５が絶縁性本体１にしっかりと固着されることを確保できる。この方法によって、電気コネクタ１００の他の部材と本体部１１の基面１１０との間の距離も検出できる。互いに対向する方向に沿って延在する第１及び第２弾力片５３５、５３８は、平衡な弾力を具備する。
【００１７】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１８】
１００  電気コネクタ
１  絶縁性本体
１１  本体部
１１０  基面
１１１  内壁
１１４  間隔壁
１１５  挿入溝
１１６  収納溝
１２  舌板
１２１  保持溝
１２２  凹溝
１２３  凹所
１３  支持板
１３５  取付柱
１３６  開口
１４  嵌合溝
１５  リブ
２  ベース
２１  基部
２１１  固持溝
２２  舌部
２２１  端子溝
３  導電端子
３１  第１端子
３１１  第１接触部
３１２  第１連接部
３１３  第１クリック部
３１４  第１半田接続部
３２    第２端子
３２１  第２接触部
３２２  第２連接部
３２３  第２クリック部
３２４  第２半田接続部
４  光部材
４１  スリット
４５  レンズ
４６  固定柱
５  ハウジング
５１  頂壁
５２  側壁
５３  底壁
５３４  挿入部
５３５  第１弾力片
５３６  係合溝
５３７  切欠き
５３８  第２弾力片
５３９  ギャップ
【図１】
2011003538.tif 000003
【図２】
2011003538.tif 000004
【図３】
2011003538.tif 000005
【図４】
2011003538.tif 000006
【図５】
2011003538.tif 000007
【図６】
2011003538.tif 000008
【図７】
2011003538.tif 000009
【図８】
2011003538.tif 000010